(57)【要約】      （修正有）【課題】静粛に使用できるとともに、安定設置が可能な搬送機器の移動用敷きプレートを提供する。【解決手段】金属プレート２の下面の全面にゴムプレート３を一体に取り付ける。上記構成の搬送機器の移動用敷きプレート１は、下面側がゴムプレート３であるので設置時に大きな音を立てることがないとともに、設置が密接状態になされるので使用に際しての騒音の発生が少ない。また、設置が密接状態になされて安定設置されるので、搬送機器の移動通過が安定して行われる。金属プレートとしては鉄製、アルミ製のもの等が適宜使用できるが、アルミ製とすることで軽量となってその取扱いが容易となるとともに、見栄えも良いものとなる。また、ゴムプレートの搬送機器の移動方向に直交する方向に位置する両縁部に搬送機器の移動をスムーズにする傾斜面１１、１２が備えられてなる構成とすることで、搬送機器の通過移動がスムーズ行われるようになる。【選択図】図２
0003166691.tif 000002
【実用新案登録請求の範囲】
【請求項１】
金属プレートの下面の全面にゴムプレートが一体に取り付けられて構成されてなることを特徴とする搬送機器の移動用敷きプレート。
【請求項２】
前記金属プレートがアルミ製である請求項１記載の搬送機器の移動用敷きプレート。
【請求項３】
前記ゴムプレートの搬送機器の移動方向に直交する方向に位置する両縁部に、搬送機器の移動をスムーズにする傾斜面が備えられてなる請求項１記載の搬送機器の移動用敷きプレート。
【請求項４】
ゴムプレート内の全体にわたり金属プレートが埋設されて構成されてなることを特徴とする搬送機器の移動用敷きプレート。
【請求項５】
前記金属プレートが鉄製である請求項４記載の搬送機器の移動用敷きプレート。
【請求項６】
前記ゴムプレートの搬送機器の移動方向に直交する方向に位置する両縁部に、搬送機器の移動をスムーズにする傾斜面が備えられてなる請求項４記載の搬送機器の移動用敷きプレート。
【考案の詳細な説明】
【技術分野】
【０００１】  この考案は、台車や棚車、さらにトラック等の搬送機器の移動用敷きプレートに関する。
【背景技術】
【０００２】  倉庫等への物品の出し入れに底面にキャスターが取り付けられた台車や棚車が使用されることが多い。それら台車や棚車を上面に格子蓋が設けられた溝の上部等を通過移動させる場合があるが、その際にはガタつくことで積載収納される物品が崩れたり、台車や棚車上から落下することがあった。したがって、従来では鉄製のプレート等を溝上に置いてその上部を移動通過するようにしている。
【考案の概念】
【考案が解決しようとする課題】
【０００３】  しかしながら、上記のような鉄製プレートは設置時に大きな音がして夜間においては騒音の問題があり、また、その下面が格子蓋面に密着しないので安定設置されないとともに、台車や棚車の通過時に騒音が発生する問題があった。
【０００４】  この考案では、静粛に使用できるとともに安定設置が可能な搬送機器の移動用敷きプレートを提供することを目的とする。
【課題を解決するための手段】
【０００５】  この考案（請求項１）では金属プレートの下面の全面にゴムプレートが一体に取り付けられて構成されてなることを特徴とする搬送機器の移動用敷きプレートを提供する。
【０００６】  上記構成の搬送機器の移動用敷きプレートは、下面側がゴムプレートであるので設置時に大きな音を立てることないとともに、設置が密接状態になされるので使用に際しての騒音の発生が少ない。また、設置が密接状態になされて安定設置されるので、搬送機器の移動通過が安定して行われる。
【０００７】  金属プレートとしては鉄製、アルミ製のもの等が適宜使用できるが、アルミ製とされることで軽量となってその取扱いが容易となるとともに、見栄えも良いものとなる。また、ゴムプレートの搬送機器の移動方向に直交する方向に位置する両縁部に搬送機器の移動をスムーズにする傾斜面が備えられてなる構成とすることで、搬送機器の通過移動がスムーズ行われるようになる。
【０００８】  また、この考案（請求項４）では、ゴムプレート内の全体にわたり金属プレートが埋設されて構成されてなることを特徴とする搬送機器の移動用敷きプレートを提供する。
【０００９】  上記構成の搬送機器の移動用敷きプレートは、下面側がゴムプレートであるので設置時に大きな音を立てることないとともに、設置が密接状態になされるので使用に際しての騒音の発生が少ない。また、設置が密接状態になされて安定設置されるので、搬送機器の移動通過が安定して行われる。
【００１０】  金属プレートとしては鉄製、アルミ製のもの等が適宜使用できるが、鉄製とされることで強度が大きくなりトラックの移動用としても好適なものとなる。また、鉄製プレートがゴムプレート内に埋設されていることでその取扱いが容易になるとともに、鉄製プレートが錆びることが防止される。また、ゴムプレートの搬送機器の移動方向に直交する方向に位置する両縁部に搬送機器の移動をスムーズにする傾斜面が備えられてなる構成とすることで、搬送機器の通過移動がスムーズ行われるようになる。
【考案の効果】
【００１１】  この考案によれば、静粛に使用できるとともに、安定設置されて搬送機器が安定して移動通過可能な搬送機器の移動用敷きプレートが得られる。
【図面の簡単な説明】
【００１２】
【図１】  この考案の搬送機器の移動用敷きプレートの第１の実施形態の斜視図
【図２】  この考案の搬送機器の移動用敷きプレートの第１の実施形態の断面図
【図３】  この考案の搬送機器の移動用敷きプレートの第１の実施形態の使用状態図
【図４】  この考案の搬送機器の移動用敷きプレートの第２の実施形態の斜視図
【図５】  この考案の搬送機器の移動用敷きプレートの第２の実施形態の断面図
【考案を実施するための形態】
【００１３】  図１はこの考案の搬送機器の移動用敷きプレートの第１の実施形態の斜視図であり、図２は図１におけるＡ−Ａ位置断面図である。移動用敷きプレート１は平面形状が長方形（１２０ｃｍ×１６０ｃｍ  厚さ１５ｍｍ）で、アルミ製プレート２の下面の全面にゴムプレート３が一体に取り付けられて構成されている。アルミ製プレート２の表面の全面には滑り止めの凹凸模様５が設けられている。ゴムプレート３はその前縁７、後縁８がアルミ製プレート２の前端縁９、後端縁１０を覆うように位置し、かつ、搬送機器の移動をスムーズにする傾斜面１１、１２を備える構成となっている。移動用敷きプレート１はアルミ製プレート２の下面に接着剤を介して未加硫のゴムプレート３が熱圧固着されて制作される。
【００１４】  移動用敷きプレート１は、図３に示すように、格子蓋２０が設けられた溝２１の上に置かれて用いられる。その際ゴムプレート３の前縁７、後縁８のそれぞれが溝２１の異なる側に位置するように配置される。この移動用敷きプレート１上を台車、棚車はスムーズに移動され、とくに、ゴムプレート３の前縁７、後縁８に傾斜面１１、１２を備えることで台車、棚車の移動がスムーズになされる。移動用敷きプレート１の設置に際しては下面側がゴムプレート３であるので大きな音を立てることないとともに、設置が密接状態になされるのでその設置が安定してなされ、かつ、台車、棚車の移動通過時に騒音が発生することがない。また、移動用敷きプレート１はアルミ製プレート２を用いていることで軽量であるとともに見栄えも良く、さらに、アルミ製プレート２上に滑り止めの凹凸模様５があることで作業者が滑ることがなく、台車、棚車も安定移動される。
【００１５】  図４はこの考案の搬送機器の移動用敷きプレートの第２の実施形態の斜視図であり、図５は図４におけるＢ−Ｂ位置断面図である。移動用敷きプレート１００は平面形状が長方形（１２０ｃｍ×１６０ｃｍ  厚さ１５ｍｍ）で、ゴムプレート１０１内の全体にわたり鉄製プレート１０２が埋設されて構成されている。ゴムプレート１０１は、その前縁１０７、後縁１０８は鉄製プレート１０２の前端縁１０９、後端縁１１０を覆うように位置し、かつ、搬送機器の移動をスムーズにする傾斜面１１１、１１２を備える構成となっている。移動用敷きプレート１００は鉄製プレート１０２の上下両面それぞれに接着剤を介して未加硫のゴムプレートが熱圧固着されて制作される。
【００１６】  移動用敷きプレート１００は上記実施形態のものと同様に使用され、移動用敷きプレート１００は鉄製プレート１０２が用いられていることで強度が大であるので、トラックの移動用としても好適に用いられる。移動用敷きプレート１００の設置に際しては下面側がゴムプレート１０１であるので大きな音を立てることないとともに、設置が密接状態になされるのでその設置が安定してなされるとともに移動通過時に騒音が発生することがない。また、移動用敷きプレート１００は鉄製プレート１０２がゴムプレート１０１内に埋設されていることでその取扱いが容易で、また、鉄製プレート１０２が錆びることが防止される。
【符号の説明】
【００１７】  １    搬送機器の移動用敷きプレート
２    金属プレート
３    ゴムプレート
【図１】
0003166691.tif 000003
【図２】
0003166691.tif 000004
【図３】
0003166691.tif 000005
【図４】
0003166691.tif 000006
【図５】
0003166691.tif 000007